(57)【特許請求の範囲】
【請求項１】
踵部分に水滴が残らず水切りが良好で、かつ、長靴や胴長靴にも同様に使用できることを達成するために、靴の甲部受け用アームＡｔ、靴の踵部受け用アームＡｈ、連結アームＣ、ハンガーＨとで形成し、靴の甲部受け用アームＡｔと靴の踵部受け用アームＡｈとは、連結アームＣにより連結され、連結アームＣとハンガーＨとは、靴の甲部受け用アームＡｔが靴の踵部受け用アームＡｈよりも上に位置するように傾斜した状態で結合されている、靴の甲部受け用アームＡｔと靴の踵部受け用アームＡｈの二本のアームで逆さ向きにした靴外側の甲部と踵部の二箇所をあたかも段違い平行棒の形態で支持することにより、靴の落下防止に適した傾斜角度や水切りに適した傾斜角度を確保するとともに、長靴や胴長靴にも使用できる構造を特徴とする靴干しハンガー。
【請求項２】
請求項１に記載の靴干しハンガーにおいて、大人用から子供用まで幅広い靴サイズに使用できるよう、前記の靴の甲部受け用アームＡｔと靴の踵部受け用アームＡｈの距離を使い易い長さに調節するため連結アームＣの長さを調節できる構造とし、靴の甲部受け用アームＡｔと靴の踵部受け用アームＡｈの距離を調節する際にも、両者のアームが段違い平行棒の形態を保ちながらハンガーＨと連結アームＣの傾斜角度を使い易い角度に調節できるように、ハンガー角度固定ボルトＢｈによってハンガーＨと連結アームＣを接続する構造を特徴とする靴干しハンガー。
【発明の詳細な説明】
【技術分野】
【０００１】
本発明は、ズック、スニーカー、長靴などの靴を洗濯した後の水滴や靴の内部に溜まってしまった水滴を効率よく排出して短時間で乾燥させるために使用する靴干しハンガーに関するものである。
【背景技術】
【０００２】
従来の靴干しハンガーは、逆さ向きにした靴の内側を、水切り勾配を付けたアームで支持する構造である。
【０００３】
しかしながら、従来の靴干しハンガーには、踵部分に水滴が残りやすく乾燥に時間がかかる、同じ形態の靴干しハンガーでは長靴に使用できないなどの欠点があった。
【先行技術文献】
【特許文献】
【０００４】
【特許文献１】実用新案公開平５−４８８６４
【非特許文献】
【０００５】
【非特許文献１】（株）オーエ    シューズハンガーＦｏｏｔくん    Ａｍｅｂａマイページ
【非特許文献２】（株）ダイヤコーポレーション  シューズハンガー    楽天市場
【非特許文献３】アルプスネット(株)    国産ステンレスシューズハンガー    フォセット  まるげん    楽天市場
【発明の概要】
【発明が解決しようとする課題】
【０００６】
本発明は、上記のような従来の欠点に鑑み、踵部分に水滴が残らず水切りが良好で、かつ、長靴にも同様に使用できる靴干しハンガーを提供することを目的としている。
【課題を解決するための手段】
【０００７】
上記目的を達成するために、本発明は、靴の甲部受け用アームＡｔ、靴の踵部受け用アームＡｈ、連結アームＣ、ハンガーＨ、とで形成し、靴の甲部受け用アームＡｔと靴の踵部受け用アームＡｈとは、連結アームＣにより連結され、連結アームＣとハンガーＨとは、靴の甲部受け用アームＡｔが靴の踵部受け用アームＡｈよりも上に位置するように傾斜する形態とした。靴の甲部受け用アームＡｔと靴の踵部受け用アームＡｈの二本のアームで逆さ向きにした靴外側の甲部と踵部の二箇所をあたかも段違い平行棒の形態で支持することにより、靴の落下防止に適した傾斜角度と水切りに適した傾斜角度を確保するとともに、長靴や胴長靴にも使用できる構造とした。また、大人用から子供用まで幅広い靴サイズに使用できるよう、靴の甲部受け用アームＡｔと靴の踵部受け用アームＡｈの距離を使い易い長さに調節するため連結アームＣの長さを調節できる構造とした。さらに、靴の甲部受け用アームＡｔと靴の踵部受け用アームＡｈの距離を調節する際にも、両者のアームが段違い平行棒の形態を保ちながら、ハンガーＨと連結アームＣの傾斜角度を使い易い角度に調節できるようにハンガー角度固定ボルトＢｈによってハンガーＨと連結アームＣを接続する構造とした。
【発明の効果】
【０００８】
以上の説明から明らかなように、本発明にあっては次に列挙する効果が得られる。
(１)靴の甲部受け用アームＡｔ、靴の踵部受けアームＡｈ、連結アームＣ、ハンガーＣ、とで構成されているので、靴の甲部受け用アームＡｔと靴の踵部受け用アームの二本のアームにより、逆さ向きにした靴外部の甲部と踵部の二箇所を段違い平行棒の形態で支持することができる。したがって、靴の落下防止に適した傾斜角度を確保するとともに水切りに適した傾斜角度を確保することができるため、踵部分に水滴が残らない良好な水切りが可能となり乾燥時間を短縮することができる。
【０００９】
(２)前記（１）と同様に、逆さ向きにした靴外部の甲部と踵部の二箇所を段違い平行棒の形態で支持することができることにより、靴の落下防止に適した傾斜角度を確保するとともに、長靴や胴長靴にも同様に使用できる。
【図面の簡単な説明】
【００１０】
【図１】本発明の一実施形態を示す全体斜視図であり、靴の甲部受け用アームＡｔ、靴の踵部受け用アームＡｈ、連結アームＣ、ハンガーＨ、の各構造部品を靴の落下防止に適した傾斜角度でかつ水切りにも適した傾斜角度となるような形態で固定した状態である。
【図２】本発明の一実施形態の靴干しハンガーの使用状態を示す全体斜視図であり、スニーカーを干している状態である。
【図３】本発明の一実施形態の靴干しハンガーの使用状態を示す全体斜視図であり、長靴を干している状態である。
【図４】本発明の別実施形態を示す全体斜視図であり、靴の甲部受け用アームＡｔと靴の踵部受け用アームＡｈの距離を使い易い長さに調節できることと、ハンガーＨと連結アームＣの傾斜角度を使い易い角度に調節できることが特徴の靴干しハンガーである。
【図５】本発明の別実施形態の靴干しハンガーにおいて、靴の甲部受け用アームＡｔと靴の踵部受け用アームＡｈの距離を短くし、さらにハンガーＨを折り畳んだ状態を示す全体斜視図である。
【図６】本発明の別実施形態の靴干しハンガーの構成部品の斜視図である。
【図７】従来の靴干しハンガー。実用新案公開平５−４８８６４
【図８】従来の靴干しハンガー。（株）オーエ  シューズハンガーＦｏｏｔくん。このシューズハンガーで干した時のスニーカーの向きを示す。
【図９】従来の靴干しハンガー。（株）ダイヤコーポレーション    シューズハンガー。
【図１０】従来の靴干しハンガー。アルプスネット（株）  国産ステンレスシューズハンガー  フォセット  まるげん。
【発明を実施するための形態】
【００１１】
以下、本発明の実施の形態を図に基づいて説明するが、本発明はこれらの実施の形態に限定されるものではない。
【実施例１】
【００１２】
図１は、本発明装置の実施例１の靴干しハンガーであり、靴の甲部受け用アームＡｔ、靴の踵部受け用アームＡｈ、連結アームＣ、ハンガーＨ、の各構造部品を靴の落下防止に適した傾斜角度でかつ水切りにも適した傾斜角度となる約２０〜４０度となるような形態で固定した状態である。
【００１３】
図２は、本発明装置の実施例１の靴干しハンガーの使用状態を示す全体斜視図であり、スニーカーを干している状態である。逆さ向きに干したスニーカーが落下することなく踵部分に水滴が残らず水切りが良好な状態で干すことができることを示している。逆さ向きにした靴の傾斜角度を約２０〜４０度となるように設定することで、靴の甲部受け用アームＡｔで靴の甲部の下向きの荷重を真下で受けるとともに、靴の踵部受け用アームＡｈで靴の荷重を真下に働く力と傾斜角度方向に働く力の二つの力の合力を受けることにより、逆さ向きにした靴外部の甲部と踵部の二箇所を段違い平行棒の形態で支持することができる。したがって、靴の落下防止に適した傾斜角度を確保するとともに水切りに適した傾斜角度を確保することができるため、踵部分に水滴が残らない良好な水切りが可能となり乾燥時間を短縮することができる。
【００１４】
図３は、本発明装置の実施例１の靴干しハンガーの使用状態を示す全体斜視図であり、長靴を干している状態である。逆さ向きに干した長靴が落下することなく踵部分に水滴が残らず水切りが良好な状態で干すことができることを示している。逆さ向きにした靴の傾斜角度を約２０〜４０度となるように設定することで、靴の甲部受け用アームＡｔで靴の甲部の下向きの荷重を真下で受けるとともに、靴の踵部受け用アームＡｈで靴の荷重を真下に働く力と傾斜角度方向に働く力の二つの力の合力を受けることにより、逆さ向きにした靴外部の甲部と踵部の二箇所を段違い平行棒の形態で支持することができる。段違い平行棒の形態で支持することにより、長靴の脚部の長短に拘らず支持することができるため、長靴や胴長靴でも良好な水切り状態で干すことができる。
【実施例２】
【００１５】
図４は、本発明装置の実施例２の靴干しハンガーを示す全体斜視図であり、靴の甲部受け用アームＡｔと靴の踵部受け用アームＡｈの距離を使い易い長さに調節できることと、ハンガーＨと連結アームＣの傾斜角度を使い易い角度に調節できることが特徴の靴干しハンガーである。靴の甲部受け用アームＡｔと靴の踵部受け用アームＡｈの距離を使い易い長さに調節できる構造により、大人用から子供用まで幅広い靴サイズに使用できる。長穴をあけた連結アーム左側Ｃｌと連結アーム右側Ｃｒの固定位置を変えることにより、靴サイズに適した靴の甲部受け用アームＡｔと靴の踵部受け用アームＡｈの距離になるよう連結アームの長さを設定できる。連結アームの固定位置を変える場合は、連結アーム長さ固定ボルトＢａｃを緩めて行い、位置決めしたら連結アーム長さ固定ボルトＢａｃを締める。連結アームの固定位置を変えて靴の甲部受け用アームＡｔと靴の踵部受け用アームＡｈの距離を調節する際にも、両者のアームが段違い平行棒の形態を保てるような回り止めの役目をするのが連結アーム中央枠Ｃｃである。また、ハンガーＨと連結アームＣの傾斜角度を使い易い角度に調節できるように、ハンガー角度固定ボルトＢｈによってハンガーＨと連結アームＣを接続した。
【００１６】
図５は、本発明装置の実施例２の靴干しハンガーにおいて、靴の甲部受け用アームＡｔと靴の踵部受け用アームＡｈの距離を短くし、さらにハンガーＨを折り畳んだ状態を示す全体斜視図である。靴の甲部受け用アームＡｔと靴の踵部受け用アームＡｈの距離を短くし、さらにハンガーＨを折り畳んだ状態にすることで、全体的にコンパクトな形態となり収納しやすくなる。
【００１７】
図６は、本発明装置の実施例２の靴干しハンガーの構成部品の斜視図である。靴の甲部受け用アームのボルト側Ａｔｂのボルト部分を連結アーム左側Ｃｌの先端の穴に差し込んだ状態で靴の甲部受け用アームのナット側Ａｔｎを接続することにより靴の甲部受け用アームＡｔが形成される。靴の踵部受け用アームのボルト側Ａｈｂのボルト部分を連結アーム右側Ｃｒの先端の穴に差し込んだ状態で靴の踵部受け用アームのナット側Ａｈｎを接続することにより靴の踵部受け用アームＡｈが形成される。長穴をあけた連結アーム左側Ｃｌと連結アーム右側Ｃｒは、連結アーム中央枠Ｃｃの両サイドから挿入し連結アーム中央枠Ｃｃの枠内を左右にスライドさせることにより、靴サイズに適した靴の甲部受け用アームＡｔと靴の踵部受け用アームＡｈの距離になるよう連結アームの長さを設定できる。連結アームの固定位置を変える場合は、連結アーム長さ固定ボルトＢａｃを緩めて行い、位置決めしたら連結アーム長さ固定ボルトＢａｃを締める。連結アームの固定位置を変えて靴の甲部受け用アームＡｔと靴の踵部受け用アームＡｈの距離を調節する際にも、両者のアームが段違い平行棒の形態を保てるような回り止めの役目をするのが連結アーム中央枠Ｃｃである。また、ハンガーＨと連結アームＣの傾斜角度を使い易い角度に調節できるように、ハンガー角度固定ボルトＢｈによってハンガーＨと連結アームＣを接続した。ハンガーＨと連結アームＣとの傾斜角度が使用中にずれないように、ハンガーＨ側にハンガー角度位置決め凹凸部Ｈｊｐを、連結アーム中央枠Ｃｃ側に連結アーム角度位置決め凹凸部を設けて、両者を組み合わせることで強固な位置決めができる構造とした。使用するときは、ハンガー角度固定ボルトＢｈを緩めてハンガーＨと連結アームＣの傾斜角度を約２０〜４０度に設定した後、ハンガー角度固定ボルトを締める。
【産業上の利用可能性】
【００１８】
本発明は、靴干しハンガーを製造する産業で利用される。
【符号の説明】
【００１９】
Ａｔ      靴の甲部受け用アーム
Ａｔｂ    靴の甲部受け用アームのボルト側
Ａｔｎ    靴の後部受け用アームのナット側
Ａｈ      靴の踵部受け用アーム
Ａｈｂ    靴の踵部受け用アームのボルト側
Ａｈｎ    靴の踵部受け用アームのナット側
Ｂａｃ    連結アーム長さ固定ボルト
Ｂｈ      ハンガー角度固定ボルト
Ｃ        連結アーム
Ｃｃ      連結アーム中央枠
Ｃｌ      連結アーム左側
Ｃｒ      連結アーム右側
Ｃｊｐ    連結アーム角度位置決め凹凸部
Ｈ        ハンガー
Ｈｊｐ    ハンガー角度位置決め凹凸部
【図７】
0005277477.tif 000002
【図９】
0005277477.tif 000003
【図１０】
0005277477.tif 000004
【図１】
0005277477.tif 000005
【図２】
0005277477.tif 000006
【図３】
0005277477.tif 000007
【図４】
0005277477.tif 000008
【図５】
0005277477.tif 000009
【図６】
0005277477.tif 000010
【図８】
0005277477.tif 000011